(57)【要約】【課題】機器の操作に慣れていない場合や初めて使用する場合にも、取り扱い説明書を読むことなく、簡単に、機器の操作ができること。【解決手段】誘導加熱手段４と、誘導加熱手段４への通電を制御する制御手段８と、制御手段８からの信号により音声を出力する音声報知手段９と、複数のスイッチにより構成された操作手段６と、操作手段で設定された状態を表示する表示手段７と、機器の動作状態を音声で通知する通常音声モードと操作されたキースイッチに関する説明を音声で行う第１の音声説明モードを切り換える音声モード切換手段である切換スイッチ１１とを備え、機器の電源が投入された次に音声モード切換手段が操作されると第１の音声説明モードに移行して、操作されたキースイッチに関する説明を音声で行うこと。【選択図】図１
2012248288.tif 000002
【特許請求の範囲】
【請求項１】
被加熱物を誘導加熱する誘導加熱手段と、前記誘導加熱手段への通電を制御する制御手段と、前記制御手段からの信号により音声を出力する音声報知手段と、複数のスイッチにより構成され、メニュー選択、タイマ設定、火力設定、機器電源のオン／オフ、加熱の開始と停止等の操作を行う操作手段と、前記操作手段で設定された状態を表示する表示手段と、機器の動作状態を音声で通知する通常音声モードと操作されたキースイッチに関する説明を音声で行う第１の音声説明モードを切り換える音声モード切換手段とを備え、機器の電源が投入された次に前記音声モード切換手段が操作されると前記第１の音声説明モードに移行して、操作されたキースイッチに関する説明を音声で行う誘導加熱調理器。
【請求項２】
計時手段を備え、第１の音声説明モードにおいて、いずれかのキースイッチが操作され、操作されたスイッチに関する説明を開始または終了してから前記計時手段により計時された時間が所定時間を経過すると、第１の音声説明モードから通常音声モードに音声モードを切り換える請求項１に記載の誘導加熱調理器。
【請求項３】
通常音声モードにおいて、音声モード切換手段を操作し、第２の音声説明モードに移行した後、次に操作されたキースイッチの操作を音声で説明すると、通常音声モードに移行する請求項１または２に記載の誘導加熱調理器。
【請求項４】
メニュー選択状態において、音声モード切換手段を操作して第３の音声説明モードに移行した後、次に操作されたメニュー選択スイッチを操作すると、メニュー選択スイッチを操作した時点で選択されているメニューに関する説明を音声で行う請求項１〜３のいずれか１項に記載の誘導加熱調理器。
【発明の詳細な説明】
【技術分野】
【０００１】
本発明は、一般家庭やオフィス、レストラン、工場などで使用される誘導加熱調理器に関するものである。
【背景技術】
【０００２】
誘導加熱調理器は、直火を使わない安全な加熱装置として普及しつつあり、視覚障害者にも安全な加熱装置として認識されている。また、便利性を向上させるため、スイッチ類の操作に連動して音声を発生させるものが種々提案されている。
【０００３】
従来、この種の誘導加熱調理器として、例えば、現在動作状態確認手段を作動させる確認スイッチを備え、確認スイッチの操作で現在動作状態を音声発生手段により報知している。例えば「湯沸かし動作中です。」、「湯沸かし後保温中です。」、「揚げ物動作中です。」など、行われている加熱動作の現在の状態を簡潔に表現する内容にしてある（例えば、特許文献１参照）。
【０００４】
使用者が加熱開始手段を操作すると、その操作内容を音声で報知することによって、誤認による誤操作を低減させる方法も考案されている（例えば、特許文献２参照）。
【先行技術文献】
【特許文献】
【０００５】
【特許文献１】特開平０７−０７３９６３号公報
【特許文献２】特開２００７−００４９８９号公報
【発明の概要】
【発明が解決しようとする課題】
【０００６】
従来の構成では、機能が多様化し、操作が複雑になり、操作手順を忘れてしまった場合には、取り扱い説明書を読み、操作方法を理解しなければ、うまく使うことが困難であった。
【０００７】
本発明は、上記課題を解決するものであって、操作するキースイッチに関する説明を音声で行うので、高齢者や視覚障害者が、キーの操作を忘れてしまい、取り扱い説明書がなくても、使用方法を聞くことができ、使用者にとって使い勝手の良い商品を提供することができる。
【課題を解決するための手段】
【０００８】
上記目的を達成するために、本発明の誘導加熱調理器は、被加熱物を誘導加熱する誘導加熱手段と、誘導加熱手段への通電を制御する制御手段と、制御手段からの信号により音声を出力する音声報知手段と、複数のスイッチにより構成され、メニュー選択、タイマ設定、火力設定、機器電源のオン／オフ、加熱の開始と停止等の操作を行う操作手段と、操作手段で設定された状態を表示する表示手段と、機器の動作状態を音声で通知する通常音声モードと操作されたキースイッチに関する説明を音声で行う第１の音声説明モードを切り換える音声モード切換手段とを備え、機器の電源が投入された次に音声モード切換手段が操作されると第１の音声説明モードに移行して、操作されたキースイッチに関する説明を音声で行うものである。
【０００９】
これにより、操作の説明を音声で聞くことができるため、使用者が機器の操作がわからない場合も、簡単に、音声での説明を聞くことができるので、初めて使用する使用者や機
器の操作に慣れていない使用者にとって使い勝手の良い商品を提供することができる。
【発明の効果】
【００１０】
以上のように、本発明の誘導加熱調理器は、操作の説明を音声で聞くことができるため、初めて使用する使用者や機器の操作に慣れていない使用者でも、簡単に、操作を理解し、使用することができる。
【図面の簡単な説明】
【００１１】
【図１】本発明の実施の形態１における誘導加熱調理器のブロック構成図
【図２】本発明の実施の形態１における誘導加熱調理器の表示手段と操作手段の外観図
【図３】（ａ）本発明の実施の形態１における誘導加熱調理器の第１および第２の音声説明モードの音声説明図（ｂ）本発明の実施の形態１における誘導加熱調理器の第３の音声説明モードの音声説明図
【図４】本発明の実施の形態１における音声モードの状態遷移を示すフローチャート
【発明を実施するための形態】
【００１２】
第１の発明は、被加熱物を誘導加熱する誘導加熱手段と、前記誘導加熱手段への通電を制御する制御手段と、前記制御手段からの信号により音声を出力する音声報知手段と、複数のスイッチにより構成され、メニュー選択、タイマ設定、火力設定、機器電源のオン／オフ、加熱の開始と停止等の操作を行う操作手段と、前記操作手段で設定された状態を表示する表示手段と、機器の動作状態を音声で通知する通常音声モードと操作されたキースイッチに関する説明を音声で行う第１の音声説明モードを切り換える音声モード切換手段とを備え、機器の電源が投入された次に前記音声モード切換手段が操作されると前記第１の音声説明モードに移行して、操作されたキースイッチに関する説明を音声で行うものである。
【００１３】
これにより、操作の説明を音声で聞くことができるため、使用者が機器の操作がわからない場合にも、簡単に、音声での操作説明を聞くことができるので、初めて使用する使用者や機器の操作に慣れていない使用者でも、簡単に、操作を理解して使用することができる。
【００１４】
第２の発明は、特に、第１の発明において、計時手段を備え、第１の音声説明モードにおいて、いずれかのキースイッチが操作され、操作されたスイッチに関する説明を開始または終了してから計時手段により計時された時間が所定時間を経過すると、第１の音声説明モードから通常音声モードに音声モードを切り換えるものである。
【００１５】
これにより、第１の音声説明モードにおいて、所定の時間が経過すると、通常音声モードに移行するため、誤って第１の音声説明モードに移行したり、第１の音声説明モードから通常音声モードに移行する方法が分からない場合にも、所定時間経過後は、通常音声モードに移行し、調理を開始することができ、初めて使用する使用者や機器の操作に慣れていない使用者でも、調理を開始することができる。
【００１６】
第３の発明は、特に、第１または第２の発明の通常音声モードにおいて、音声モード切換手段を操作し、第２の音声説明モードに移行した後、次に操作されたキースイッチの操作を音声で説明すると、通常音声モードに移行する。
【００１７】
これにより、通常音声モードにおいて、調理を行うために機器を操作している最中に操作が分からなくなった場合にも、操作の説明を音声で聞くことができ、さらに、継続して調理を行えるので、使い勝手がよくなる。
【００１８】
第４の発明は、特に、第１〜３のいずれか１つの発明のメニュー選択状態において、音声モード切換手段を操作して第３の音声説明モードに移行した後、次に操作されたメニュー選択スイッチを操作すると、メニュー選択スイッチを操作した時点で選択されているメニューに関する説明を音声で行う。
【００１９】
これにより、多くの調理メニューを備えた操作が複雑な機器においても、使用者が、必要な情報を音声により、簡単に、取得することができるので、使い勝手の良い商品を提供することができる。
【００２０】
以下、本発明の実施の形態について、図面に基づいて説明する。なお、この実施の形態によって本発明が限定されるものではない。
【００２１】
（実施の形態１）
図１は、本発明の第１の実施の形態における誘導加熱調理器のブロック構成図である。
【００２２】
図１において、トッププレート１の上に鍋（被加熱物）２が載置される。加熱コイル３はトッププレート１の下部に配置され、高周波磁界を発生することにより、鍋２を誘導加熱する。
【００２３】
加熱コイル３に高周波電流を供給する誘導加熱手段４は、スイッチ素子や平滑コンデンサ等により構成される。温度検出器５は、サーミスタ等の感温素子で、トッププレート１の下部温度を検出する。
【００２４】
操作手段６は、複数のキースイッチで構成され、調理メニューの選択、火力や温度の設定、タイマ設定、調理の開始および停止、機器の電源の入／切を設定できる。使用者が操作手段６の各スイッチを押下した結果は、制御手段８に入力され、制御手段８は表示手段７により設定された火力や温度に応じた表示を行い、さらに、制御手段８は、調理メニューと火力や温度に応じて、誘導加熱手段４により、鍋２を加熱する。
【００２５】
さらに、音声ガイドを行うため、制御手段８の出力に応じて、音声報知手段９は、音声を出力する波形を生成し増幅して、スピ−カー１０より出力する。１１は、制御手段８の音声モードを切り換える音声モード切換手段である切換スイッチである。
【００２６】
本実施の形態では、制御手段８は、マイクロコンピュータにより、実現し、音声報知手段９は、内部に記憶された音声波形のデジタルデータからアナログ波形を生成し、音声報知手段９の内部に備える増幅回路を通じて、スピーカ１０に出力する。
【００２７】
また、制御手段８と音声報知手段９は、それぞれ別のマイクロコンピュータにより実現しているが、１つのマイクロコンピュータで安価に実現することも考えられる。
【００２８】
また、操作手段６と音声モード切換手段は、静電容量の変化に基づき、キーのオン／オフを判別する静電容量式でもよい。
【００２９】
図２は、本発明の第１の実施の形態における誘導加熱調理器の操作手段と表示手段の外観図である。
【００３０】
図２において、表示手段７は、ＬＣＤ表示素子で構成され、操作手段６で設定されたタイマ時間、調理メニュー、設定火力を表示する。
【００３１】
図１の操作手段６は、調理メニューを選択する選択スイッチ６ｅ、火力や温度を設定する「アップ」スイッチ６ｄと「ダウン」スイッチ６ｃ、タイマ設定を行う「プラス」スイッチ６ｂと「マイナス」スイッチ６ａ、調理の開始および停止を行う「開始停止」スイッチ６ｆ、機器の電源の入／切を行う「入／切」スイッチ６ｇ、さらに、モードを切り換える音声モード切換手段である切換スイッチ１１により構成される。
【００３２】
「入／切」スイッチ６ｇを操作して、電源を投入し、次に切換スイッチ１１を操作すると、音声モードは、音声説明モードに移行し、「入／切」スイッチ６ｇを操作して、電源を投入し、次に、切換スイッチ１１以外のスイッチを操作すると、音声モードは、通常音声モードに移行する。音声説明モードに移行すると、操作されたスイッチに関する説明を音声で行う。
【００３３】
また、通常音声モードにおいて、切換スイッチ１１を操作すると、音声説明モードに移行し、次に操作したスイッチの説明を音声で行い、通常音声モードに移行することによって、調理を行うための使用中に操作がわからなくなった場合にも、常に、簡単に、音声での説明を行うことができる。
【００３４】
また、選択スイッチ６ｅを操作して、調理したいメニューを選択してから、切換スイッチ１１を操作して、音声説明モードに移行した場合においては、切換スイッチ１１を操作した時点で選択されているメニューに関する説明を音声で行う。
【００３５】
図３（ａ）は、本発明の第１の実施の形態における誘導加熱調理器の第１および第２の音声説明モードの音声説明図であり、第１および第２の音声説明モードにおいて、音声により説明を行う一例であり、各スイッチを操作した場合に、図にある説明を音声で行う。
【００３６】
図３（ｂ）は、本発明の第１の実施の形態における誘導加熱調理器の第３の音声説明モードの音声説明図である。
【００３７】
第３の音声説明モードにおいて、音声により説明を行う一例であり、メニュー選択状態にある場合に、メニュー選択スイッチを操作した場合に、選択されているメニューに応じて図にある説明を音声で行う。
【００３８】
図４は、本発明の実施の第１の実施の形態における音声モードの切換スイッチの操作に応じて音声モードの状態遷移を示すフローチャートである。ステップ４１で「入／切」スイッチ６ｇを操作して、機器電源がオンすると、ステップ４２で通常音声モードに移行し、その後、最初に操作されたキースイッチが音声モード切換手段である切換スイッチ１１の場合、ステップ４４の第１の音声説明モードに移行する。
【００３９】
第１の音声説明モードで、操作手段６の各キースイッチ（「入／切」スイッチ６ｇを除く）を操作すると、各キースイッチに対応する説明を音声で行う。また、ステップ４３で、操作手段６の各キースイッチ（「入／切」スイッチ６ｇを除く）を操作すると、ステップ４６の通常音声モードに移行し、その後、第１の音声説明モードには移行できない。ステップ４５で第１の音声説明モードにおいて、音声モード切換手段である切換スイッチ１１が操作されると、ステップ４６の通常音声モードに移行する。
【００４０】
なお、第１の音声説明モードにおいて、操作手段６の各キースイッチ（「入／切」スイッチ６ｇを除く）の操作が所定時間（本実施の形態では、１分間）ない場合にも、ステップ４６の通常音声モードに移行する。
【００４１】
通常音声モードにおいて、ステップ４７で、音声モード切換手段である切換スイッチが
操作されると、ステップ４８でメニュー選択であるかないかを判定し、メニュー選択状態でない場合は、ステップ４９に移行して、第２の音声説明モードに移行し、ステップ５０で、最初に操作されたキースイッチの説明を行い、ステップ４６に移行する。
【００４２】
ステップ４８でメニュー選択中であると判定した場合、ステップ５１で第３の音声説明モードに移行し、ステップ５２で、メニューを選択する選択スイッチ６ｅを操作すると、図３（ｂ）に示す音声説明を行い、ステップ４６に移行する。第３の音声説明モードでは、メニューを選択する選択スイッチ６ｅを除くキースイッチを操作した場合、図３（ａ）の音声説明を行う。
【００４３】
また、第２の音声説明モードおよび第３の音声説明モードにおいて、いずれのキースイッチ操作もなく所定時間（本実施の形態では、１分間）が経過した場合、計時手段によりステップ４６に移行する。
【００４４】
音声モードがいずれのモードにあっても、「入／切」スイッチ６ｇを操作すると、機器の電源がオフするのは、言うまでもない。
【００４５】
以上のように、本実施の形態においては、操作の説明を音声で聞くことができるため、使用者が機器の操作がわからない場合にも、簡単に、音声での操作説明を聞くことができるので、初めて使用する使用者や機器の操作に慣れていない使用者でも、操作を理解して使用できる。
【００４６】
また、第１の音声説明モードにおいて、所定の時間が経過すると、通常音声モードに移行するため、誤って第１の音声説明モードに移行したり、第１の音声説明モードから通常音声モードに移行する方法が分からない場合にも、所定時間経過後は、通常音声モードに移行し、調理を開始することができ、初めて使用する使用者や機器の操作に慣れていない使用者でも、調理を開始できる。
【００４７】
なお、第１の音声説明モードは、機器の操作に慣れてくると必要なくなるので、不揮発性の記憶素子を備え、第１の音声説明モードの有効／無効を設定、記憶するようにすると使い勝手がよくなる。
【００４８】
また、通常音声モードにおいて、調理を行うために機器を操作している最中に操作が分からなくなった場合にも、操作の説明を音声で聞くことができ、さらに、継続して調理を行えるので、使い勝手がよくなる。
【００４９】
また、多くの調理メニューを備えた操作が複雑な機器においても、使用者が、必要な情報を音声により、簡単に、取得することができるので、使い勝手の良い商品を提供することができる。
【００５０】
なお、図３（ｂ）に、調理メニューに応じた音声説明の一例を示しているが、各メニューでの操作方法だけでなく、調理メニューに応じた調理方法や、材料や料理できる量などの制限事項を説明に加えるとなお、使い勝手がよくなる。
【００５１】
また、調理動作中であれば、加熱している電力の状態や温度センサの状態に応じた音声説明や、天ぷらであれば、具財を投入するまでの予想時間を説明する、炊飯やおかゆ等の自動で調理が終了するメニューであれば、終了までの時間を説明するなどすると、さらに、使用者にとって、使いやすくなる。
【産業上の利用可能性】
【００５２】
本発明の誘導加熱調理器は、操作の説明を音声で聞くことができるため、使用者が機器の操作がわからない場合にも、簡単に、音声での操作説明を聞くことができるので、初めて使用する使用者や機器の操作に慣れていない使用者でも、簡単に、操作を理解して使用でき、使い勝手の良い商品を提供できるため、一般家庭やレストランなどで使用される誘導加熱調理器に有効である。
【符号の説明】
【００５３】
４  誘導加熱手段
６  操作手段
７  表示手段
８  制御手段
９  音声報知手段
１１  切換スイッチ
【図１】
2012248288.tif 000003
【図２】
2012248288.tif 000004
【図３】
2012248288.tif 000005
【図４】
2012248288.tif 000006